【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
撮像素子を有し、前記撮像素子をインターレース駆動させて被写体を撮像し、２つのフィールドを有する第１の画像を生成する撮像部と、
前記第１の画像に基づいて、前記第１の画像のぶれ量を検出する検出部と、
前記ぶれ量に基づいて、前記第１の画像から第２の画像を生成する処理部と、
表示部と、
前記第２の画像に基づいて被写体を計測する計測部と、
ユーザの操作指示を入力するための操作指示部と、を備え、
前記表示部によって前記第１の画像が表示されており、前記操作指示部に前記操作指示が入力されたとき、前記表示部は、前記検出部によって検出された前記第１の画像の前記ぶれ量を示す指標を表示することを特徴とする内視鏡装置。
【請求項２】
前記操作指示部に第１の操作指示が入力されたとき、前記表示部は、前記第１の画像の前記ぶれ量を示す前記指標を表示することを特徴とする請求項１に記載の内視鏡装置。
【請求項３】
前記操作指示部に入力された第１の操作指示によって前記表示部が前記第１の画像を表示し続けており、前記操作指示部に第２の操作指示が入力されたとき、前記表示部は、前記第１の画像の前記ぶれ量を示す前記指標を表示することを特徴とする請求項１に記載の内視鏡装置。
【請求項４】
前記操作指示部に入力された第１の操作指示によって前記表示部が前記第１の画像を表示し続けており、前記操作指示部に第２の操作指示が入力されたとき、前記処理部は前記ぶれ量に基づいて前記第２の画像を生成し、
前記表示部は前記第１の画像に代えて前記第２の画像を表示することを特徴とする請求項１に記載の内視鏡装置。
【請求項５】
前記処理部は、前記第１の画像を構成する１つのフィールドから前記第２の画像を生成することを特徴とする請求項１〜請求項４の何れか１項に記載の内視鏡装置。
【請求項６】
前記処理部は、前記第１の画像を構成する２つのフィールドのうち少なくとも一方のフィールドを補正して前記第２の画像を生成することを特徴とする請求項１〜請求項４の何れか１項に記載の内視鏡装置。
【請求項７】
前記ぶれ量が所定量を超えた場合に、前記計測部による計測を禁止する制御部をさらに備えたことを特徴とする請求項１〜請求項６の何れか１項に記載の内視鏡装置。
【請求項８】
撮像素子をインターレース駆動させて被写体を撮像し、２つのフィールドを有する第１の画像を生成するステップと、
前記第１の画像を表示部に表示するステップと、
前記第１の画像に基づいて、前記第１の画像のぶれ量を検出するステップと、
ユーザの操作指示を検出するステップと、
前記第１の画像が前記表示部によって表示されており、前記操作指示の入力を検知したとき、前記第１の画像のぶれ量を示す指標を表示するステップと、
前記ぶれ量が所定量を超えた場合に、前記第１の画像から第２の画像を生成するステップと、
前記第２の画像に基づいて被写体を計測するステップと、
を実行することを特徴とする計測方法。
【請求項９】
撮像素子をインターレース駆動させて被写体を撮像し、２つのフィールドを有する第１の画像を生成するステップと、
前記第１の画像を表示部に表示するステップと、
前記第１の画像に基づいて、前記第１の画像のぶれ量を検出するステップと、
ユーザの操作指示を検出するステップと、
前記第１の画像が前記表示部によって表示されており、前記操作指示の入力を検知したとき、前記第１の画像の前記ぶれ量を示す指標を表示するステップと、
前記ぶれ量が所定量を超えた場合に、前記第１の画像から第２の画像を生成するステップと、
前記第２の画像に基づいて被写体を計測するステップと、
を内視鏡装置に実行させるためのプログラム。
【手続補正２】
【補正対象書類名】明細書
【補正対象項目名】０００６
【補正方法】変更
【補正の内容】
【０００６】
本発明は、上記の課題を解決するためになされたもので、撮像素子を有し、前記撮像素子をインターレース駆動させて被写体を撮像し、２つのフィールドを有する第１の画像を生成する撮像部と、前記第１の画像に基づいて、前記第１の画像のぶれ量を検出する検出部と、前記ぶれ量に基づいて、前記第１の画像から第２の画像を生成する処理部と、表示部と、前記第２の画像に基づいて被写体を計測する計測部と、ユーザの操作指示を入力するための操作指示部と、を備え、前記表示部によって前記第１の画像が表示されており、前記操作指示部に前記操作指示が入力されたとき、前記表示部は、前記検出部によって検出された前記第１の画像の前記ぶれ量を示す指標を表示することを特徴とする内視鏡装置である。
【手続補正３】
【補正対象書類名】明細書
【補正対象項目名】０００７
【補正方法】変更
【補正の内容】
【０００７】
また、本発明の内視鏡装置は、前記操作指示部に第１の操作指示が入力されたとき、前記表示部は、前記第１の画像の前記ぶれ量を示す前記指標を表示することを特徴とする。
【手続補正４】
【補正対象書類名】明細書
【補正対象項目名】０００８
【補正方法】変更
【補正の内容】
【０００８】
また、本発明の内視鏡装置は、前記操作指示部に入力された第１の操作指示によって前記表示部が前記第１の画像を表示し続けており、前記操作指示部に第２の操作指示が入力されたとき、前記表示部は、前記第１の画像の前記ぶれ量を示す前記指標を表示することを特徴とする。
【手続補正５】
【補正対象書類名】明細書
【補正対象項目名】０００９
【補正方法】変更
【補正の内容】
【０００９】
また、本発明の内視鏡装置は、前記操作指示部に入力された第１の操作指示によって前記表示部が前記第１の画像を表示し続けており、前記操作指示部に第２の操作指示が入力されたとき、前記処理部は前記ぶれ量に基づいて前記第２の画像を生成し、前記表示部は前記第１の画像に代えて前記第２の画像を表示することを特徴とする。
【手続補正６】
【補正対象書類名】明細書
【補正対象項目名】００１０
【補正方法】変更
【補正の内容】
【００１０】
また、本発明の内視鏡装置は、前記処理部は、前記第１の画像を構成する１つのフィールドから前記第２の画像を生成することを特徴とする。
【手続補正７】
【補正対象書類名】明細書
【補正対象項目名】００１１
【補正方法】変更
【補正の内容】
【００１１】
また、本発明の内視鏡装置は、前記処理部は、前記第１の画像を構成する２つのフィールドのうち少なくとも一方のフィールドを補正して前記第２の画像を生成することを特徴とする。
【手続補正８】
【補正対象書類名】明細書
【補正対象項目名】００１３
【補正方法】変更
【補正の内容】
【００１３】
また、本発明は、撮像素子をインターレース駆動させて被写体を撮像し、２つのフィールドを有する第１の画像を生成するステップと、前記第１の画像を表示部に表示するステップと、前記第１の画像に基づいて、前記第１の画像のぶれ量を検出するステップと、ユーザの操作指示を検出するステップと、前記第１の画像が前記表示部によって表示されており、前記操作指示の入力を検知したとき、前記第１の画像のぶれ量を示す指標を表示するステップと、前記ぶれ量が所定量を超えた場合に、前記第１の画像から第２の画像を生成するステップと、前記第２の画像に基づいて被写体を計測するステップと、を実行することを特徴とする計測方法である。
【手続補正９】
【補正対象書類名】明細書
【補正対象項目名】００１４
【補正方法】変更
【補正の内容】
【００１４】
また、本発明は、撮像素子をインターレース駆動させて被写体を撮像し、２つのフィールドを有する第１の画像を生成するステップと、前記第１の画像を表示部に表示するステップと、前記第１の画像に基づいて、前記第１の画像のぶれ量を検出するステップと、ユーザの操作指示を検出するステップと、前記第１の画像が前記表示部によって表示されており、前記操作指示の入力を検知したとき、前記第１の画像の前記ぶれ量を示す指標を表示するステップと、前記ぶれ量が所定量を超えた場合に、前記第１の画像から第２の画像を生成するステップと、前記第２の画像に基づいて被写体を計測するステップと、を内視鏡装置に実行させるためのプログラムである。